(57)【要約】 【課題】  壁面に対して段差のある窓枠等に取付自在であり、壁面との隙間を調整できるオーニング装置を提供する。【解決手段】  室内に対して遮光または採光を行うキャンバス８０と、キャンバス８０を巻取って収容する巻取部４０と、窓枠３に対して回動し、キャンバス８０を開状態または閉状態とするアーム６０とを備えたオーニング装置１において、窓枠３に対して取り付けられる取付フレーム５０と、取付フレーム５０と巻取部４０との間に配設され、取付フレーム５０に対して巻取部４０の位置を調整し、壁面２と巻取部４０との隙間をなくす位置調整部９０とを備えた構成とする。【選択図】  図１
2012072581.tif 000002
【特許請求の範囲】
【請求項１】
室内に対して遮光または採光を行うキャンバスと、
前記キャンバスを巻取って収容する巻取部と、
窓枠に対して回動し、前記キャンバスを開状態または閉状態とするアームとを備えたオーニング装置において、
前記窓枠に対して取り付けられる取付フレームと、
前記取付フレームと前記巻取部との間に配設され、前記取付フレームに対して前記巻取部の位置を調整し、壁面と前記巻取部との隙間をなくす位置調整部とを備えたことを特徴とするオーニング装置。
【請求項２】
前記位置調整部は、前記巻取部と前記取付フレームの一方に摺動部材が設けられ、他方に長孔が形成されて、前記摺動部材が前記長孔内を摺動することにより、前記巻取部と前記壁面との隙間をなくすようにした請求項１に記載のオーニング装置。
【請求項３】
前記位置調整部は、前記巻取部側に取付けられる第１取付部と、前記取付フレーム側に取付けられる第２取付部を有し、前記第１取付部と前記第２取付部との間に回動自在なリンク部材を備え、前記リンク部材の回動によって前記巻取部が移動し、前記壁面と前記巻取部との隙間をなくすようにしたことを特徴とする請求項１に記載のオーニング装置。
【請求項４】
前記取付フレームは一対で前記窓枠の外側に取り付けられ、前記窓枠の内側から前記窓枠を上下位置にて挟持する取付プレートを備えたことを特徴とする請求項１乃至請求項３のいずれか一項に記載のオーニング装置。
【発明の詳細な説明】
【技術分野】
【０００１】
本発明は、壁面に対して段差のある窓枠等に対して取り付け自在なオーニング装置に関するものである。
【背景技術】
【０００２】
従来、特許文献１には、シャッター式の雨戸に取り付け可能なオーニング装置が開示されている。このオーニング装置は、日よけを行うキャンバス（シート）と、キャンバスを巻き取る巻取部（ドラム）と、巻取部の両端に設けられた支柱と、支柱にもうけられたキャンバスを張り出すアームと、シャッターのガイドレールに取り付けられ、支柱の上下に設けられたブラケットと、支柱の上部のブラケットに設けられ、巻取部の取付位置を調整自在に支持するクランプ部材とによって構成されている。このオーニング装置は、ブラケット及びクランプ部材を用いることで巻取部の軸方向の取付位置を調整できるため、シャッター幅に合わせた調整が可能である。
【先行技術文献】
【特許文献】
【０００３】
【特許文献１】特開２００７−１１３３７１号公報
【発明の概要】
【発明が解決しようとする課題】
【０００４】
上記したオーニング装置をシャッターのガイドレールに取り付ける場合には、ブラケットを取り付けることで、巻取部の軸方向に対して、支柱の間隔を調整できる。しかし、このオーニング装置が壁面に対して段差のある窓枠等に対して取り付けられた場合は、壁面から離れた位置に設けられることとなり、オーニング装置の巻取部との間に隙間を生じる。このため、このオーニング装置では、巻取部の軸方向の取付位置の調整のみであるため、壁面との隙間を埋めることができない。これにより、オーニング装置は、巻取部と壁面との隙間から光が差し込むため、日よけとしての機能を十分に果たすことができない。また、このオーニング装置は、壁面と巻取部とが離れていることで隙間が生じるため、意匠性を損なうおそれがある。
【０００５】
そこで、本発明は、壁面に対して段差のある窓枠等に取付自在であり、壁面との隙間を調整できるオーニング装置を提供する。
【課題を解決するための手段】
【０００６】
上記の課題を解決するために講じた手段は、室内に対して遮光または採光を行うキャンバスと、キャンバスを巻取って収容する巻取部と、窓枠に対して回動し、キャンバスを開状態または閉状態とするアームとを備えたオーニング装置において、窓枠に対して取り付けられる取付フレームと、取付フレームと巻取部との間に配設され、取付フレームに対して巻取部の位置を調整し、壁面と巻取部との隙間をなくす位置調整部とを備えた構成とする。
【０００７】
また、位置調整部は、巻取部と取付フレームの一方に摺動部材が設けられ、他方に長孔が形成されて、摺動部材が長孔内を摺動することにより、巻取部と壁面との隙間をなくす構成とする。
【０００８】
また、位置調整部は、巻取部側に取付けられる第１取付部と、取付フレーム側に取付けられる第２取付部を有し、第１取付部と第２取付部との間に回動自在なリンク部材を備え、リンク部材の回動によって巻取部が移動し、壁面と巻取部との隙間をなくす構成とする。
【０００９】
また、取付フレームは一対で窓枠の外側に取り付けられ、窓枠の内側から窓枠を上下位置にて挟持する取付プレートを備えた構成とする。
【発明の効果】
【００１０】
本発明によれば、このオーニング装置は、壁面から迫り出しているために段差のある窓枠等に通常の状態で取り付ける際に、巻取部と壁面の間に隙間が生じることがある。この時、位置調整が可能な位置調整部によって、オーニング装置は取付フレームに対して巻取部を壁面側に水平移動することで隙間を埋めることができる。このため、オーニング装置は意匠性を損なうことなく取り付けを行うことができる。さらに、オーニング装置は、巻取部と壁面との間に隙間がなくなることで、巻取部と壁面との隙間から光が入ってくることも無いため、遮光や採光についても十分に行うことが可能である。さらに、このオーニング装置は、壁面との間に段差があっても取り付け可能であることから、面格子等にも取り付けが可能であり、面格子の防犯性を損なうことなく、遮光及び採光を行うことが可能である。
【００１１】
また、このオーニング装置の位置調整部は、取付フレーム又は巻取部の一方に設けられた長孔内に、取付フレーム又は巻取部の他方に設けられた摺動部材が設けられている。これにより、位置調整部は、摺動部材が長孔内を摺動することで、巻取部が壁面側へ移動可能となる。このため、オーニング装置は、巻取部を取り外すことなく、巻取部と壁面との隙間を容易に埋めることができる。
【００１２】
また、このオーニング装置の位置調整部は、巻取部と取付フレームとに取付部を有し、リンク部材が互いの取付部に対して回動自在であるため、巻取部が壁面側へ移動可能となる。このため、オーニング装置は、巻取部を取り外すことなく、巻取部と壁面との隙間を容易に埋めることができる。
【００１３】
さらに、取付フレームは、壁面に対して段差のある窓枠等を取付プレートによって上下位置にて挟持するようにオーニング装置を取り付けることが可能である。このため、オーニング装置は取り付けのために外壁面を傷つけることなく容易に設置が可能である。
【図面の簡単な説明】
【００１４】
【図１】本発明に係わるオーニング装置の構成を示す斜視図である。
【図２】図１におけるオーニング装置の構成を示す側面図である。
【図３】図１に示したオーニング装置のキャンバス全閉時の斜視図である。
【図４】図１に示したオーニング装置のキャンバス全開時の斜視図である。
【図５】本発明の実施例１に係わるオーニング装置の分解斜視図である。
【図６】図５に示した位置調整部の動作説明図を示し、（ａ）は調整前の巻取部の位置、（ｂ）は調整後の巻取部の位置を示している。
【図７】本発明の実施例２に係わるオーニング装置の斜視図である。
【図８】図７に示した位置調整部の構成部材の斜視図を示し、（ａ）は位置調整部の収縮時、（ｂ）は位置調整部の伸張時を示している。
【図９】図８に示した位置調整部の動作説明図を示し（ａ）は調整前の巻取部の位置、（ｂ）は調整後の巻取の部位置を示している。
【発明を実施するための形態】
【００１５】
本発明に係わるオーニング装置１の構成ついて、図１、図２を用いて説明する。図１は、本発明に係わるオーニング装置１の斜視図を示しており、図２は、図１におけるオーニング装置１の側面図を示している。
【００１６】
図１より、このオーニング装置１は、壁面２に対して段差のある窓枠３等（例えば、面格子３）に取り付けられている。このオーニング装置１は、窓枠３の上部３ａに設けられた巻取部４０と、窓枠３の側部３ｂに取り付けられる取付フレーム５０と、取付フレーム５０に回動可能に設けられたアーム６０と、両アーム６０を連結している引張バー７０と、巻取部４０が巻き出し及び巻き取りを行い、引張バー７０によって張り出されるキャンバス８０とで構成されている。さらに、巻取部４０と取付フレーム５０には位置調整部９０が設けられている。この位置調整部９０は、窓枠３にオーニング装置１を取り付けた際に壁面２と巻取部４０との間に生じる隙間を図２の側面図に示すように埋めることが可能である。
【００１７】
次に、本発明に係わるオーニング装置１の動作ついて、図３、図４を用いて説明する。図３は、図１に示したオーニング装置１のキャンバス８０全閉時の斜視図を示しており、図４は、図１に示したオーニング装置１のキャンバス８０全開時の斜視図を示している。
【００１８】
図３より、このオーニング装置１は、面格子３に取り付けられており、キャンバス８０は全閉状態である。このオーニング装置１は、壁面２から張り出している面格子３等に取り付けが可能である。さらに、このオーニング装置１は、巻取部４０によってキャンバス８０を巻き出すことでアーム６０を回動させ、アーム６０に設けられた引張バー７０に張り出されるようにしてキャンバス８０を開く構造としている。このアーム６０は、キャンバス８０の開方向へ働く付勢力又は自重によって回動する。そして、図４のように、キャンバス８０を全開状態にした際に、オーニング装置１は面格子３を覆うことができるため、面格子３の防犯性を損なうことなく、意匠性を向上することが可能である。また、このオーニング装置１は、巻取部４０と壁面２との間の隙間をなくすことで隙間から進入する光を遮断でき、キャンバス８０の全開状態時に十分な遮光を行うことができる。
【実施例１】
【００１９】
次に本発明の実施例１に係わるオーニング装置１の構成について、図５を用いて説明する。図５は、本発明の実施例１に係わるオーニング装置１の部品の構成図を示している。
【００２０】
図５より、このオーニング装置１は、巻取部４０と取付フレーム５０と位置調整部９０とアーム６０及びキャンバス８０によって構成されている。巻取部４０は、キャンバス８０の巻かれたロール４１ａを有する本体部４１と、本体部４１を覆うケース４２を備えている。また、取付フレーム５０は、長方形の板状に形成されており、複数の締結穴５１を有している。この締結穴５１は、取付フレーム５０に取り付けられる取付プレート５２の締結穴５３と締結部材５４によって締結するように設けられている。さらに、取付フレーム５０は、取付プレート５２と共に壁面２から張り出した面格子３等を上下位置で挟持するように取り付ける構造となっている。アーム６０は、窓枠３の両側部３ｂに取り付けられる取付フレーム５０に設けられたヒンジ６１によって回転可能に軸支されており、両アーム６０は引張バー７０によって連結されている。この引張バー７０は、ロール４１ａに巻きつけられたキャンバス８０をアーム６０の回動と共に引っ張るための部材である。位置調整部９０は、巻取部４０の本体部４１のロール４１ａを支持する側面部４１ｂに設けられた複数の調整穴９１と、取付フレーム５０の側部に取り付けられた本体部４１の側面部４１ｂと重合する調整板９２に設けられた水平方向に長手の長孔９３と、調整穴９１に締結された長孔９３内を摺動する摺動部材９４（例えば、ピン）とで構成されている。このオーニング装置１の本体部４１とケース４２との間には、所定空間（調整板９２が収容できる隙間）が設けられている。
【００２１】
次に本発明の実施例１に係わるオーニング装置１の動作について、図６を用いて説明する。図６は、図５に示したオーニング装置１の位置調整部９０の動作図を示し（ａ）調整前の巻取部４０の位置、（ｂ）調整後の巻取部４０の位置を示している。
【００２２】
図６より、位置調整部９０は、調整前後で巻取部４０は、壁面２との間に生じた隙間を埋めることが可能である。この巻取部４０である本体部４１の側面部４１ｂには、複数の調整穴９１（実施例では４つ）が設けられている。また、窓枠３に取り付ける取付フレーム５０に設けられた調整板９２には、水平方向に長手の長孔９３が上下に設けられている。この長孔９３は、調整穴９１に締結された摺動部材９４が上下にそれぞれ２つずつ収容されている。このオーニング装置１の位置調整部９０は、上下の長孔９３と、この長孔９３内を摺動する摺動部材９４とで、調整の際に取付フレーム５０と巻取部４０を安定して移動することができ、図６（ａ）の巻取部４０の状態（壁面２と巻取部４０に隙間がある状態）から図６（ｂ）の巻取部４０の状態（壁面２と巻取部４０の隙間を埋めた状態）への巻取部４０の位置調整が容易である。位置調整部９０は、複数の摺動部材９４が長孔９３と係合しているので、摺動部材９４と長孔９３との接する部分が複数存在する。このため、このオーニング装置１は、取付フレーム５０に対して巻取部４０が十分に支持できる。
【実施例２】
【００２３】
次に本発明の実施例２に係わるオーニング装置１の構成について、図７、図８を用いて説明する。図７は、本発明の実施例２に係わるオーニング装置１の説明図を示し、図８は、図７に示した位置調整部２９０の構成部材の斜視図を示し（ａ）は位置調整部２９０の収縮時、（ｂ）は位置調整部２９０の伸張時を示している。
【００２４】
図７より、このオーニング装置１は、巻取部２４０と取付フレーム５０と位置調整部２９０とアーム６０及びキャンバス８０によって構成されている。巻取部２４０は、キャンバス８０の巻かれたロール２４１ａを有する本体部２４１と、本体部２４１の上部に設けられ、ロール２４１ａ部分を覆うケース２４２を備えている。また、取付フレーム５０は、長方形の板状に形成されており、複数の締結穴５１を有している。この締結穴５１は、取付フレーム５０に取り付けられる取付プレート５２の締結穴５３と締結部材５４によって締結するように設けられている。さらに、取付フレーム５０は、取付プレート５２と共に壁面２から張り出した面格子３等を上下位置で挟持するように取り付ける構造となっている。また、アーム６０は、窓枠３の両側部３ｂに取り付けられる取付フレーム５０に設けられたヒンジ６１によって回転可能に軸支されており、両アーム６０は引張バー７０によって連結されている。この引張バー７０は、ロール２４１ａに巻きつけられたキャンバス８０をアーム６０の回動と共に引っ張るための部材である。また、このオーニング装置１には、取付フレーム５０と巻取部２４０との間に位置調整部２９０が配設されている。この位置調整部２９０は、巻取部２４０及び取付フレーム５０にそれぞれ第１取付部２９１及び第２取付部２９２が設けられている。これら取付部２９１、２９２は、回動自在に連結されているリンク部材２９３とともにリンク機構を構成している。この位置調整部２９０は、伸縮自在であるため、巻取部２４０と取付フレーム５０の位置を窓枠３に対して垂直方向へ調整することができる。図８に示すように、各取付部２９１、２９２は、コ字状であり、開口部分にリンク部材２９３を挟み込みピン２９４等によって回動自在に連結されている。さらに、巻取部２４０又は取付フレーム５０との取付部分に、ねじやピン等の締結部材（図示せず）を用いて取り付けるための締結穴２９５が設けられている。
【００２５】
次に本発明の実施例２に係わるオーニング装置１の動作について、図９を用いて説明する。図９は、図８に示したオーニング装置１の位置調整部２９０の動作図を示し、（ａ）調整前の巻取部２４０の位置、（ｂ）調整後の巻取部２４０の位置を示している。
【００２６】
図９より、位置調整部２９０によって、オーニング装置１は、伸縮時の巻取部２４０と取付フレーム５０の位置関係が壁面２対して垂直方向及び壁面２に対して平行な上下方向の両方向で変化する。図９（ａ）に示される調整前と（ｂ）に示される調整後のオーニング装置１は、壁面２と巻取部２４０の隙間を埋めるために、巻取部２４０が位置調整部２９０の伸張によって壁面２に対して垂直な方向へ移動していると同時に壁面２に対して平行な上下方向へも移動している。この時、オーニング装置１の巻取部２４０の上下方向の変化は、壁面２と巻取部２４０との隙間を埋めることへの影響が少ない。しかし、位置調整部２９０は、キャンバス８０を張り出す際に、ロール２４１ａ又は張り出すキャンバス８０と取付フレーム５０とが接触をしないように、位置調整部２９０の各取付部２９１、２９２の位置とリンク部材２９３の長さ等を考慮して設けられることが望ましい。例えば、実施例のように、第１取付部２９１よりも第２取付部２９２を上方に配置すると共に、位置調整部２９０が最大の収縮時にリンク部材２９３が取付フレーム５０と平行となるように設けることで、位置調整部２９０が伸張すると上下方向へは上昇するため、ロール２４１ａまたは張り出すキャンバス８０と取付フレーム５０との接触を防ぐことができる。
【００２７】
以上、実施例の構成について説明したが、本発明はこれに限定されるものではなく、以下に示す態様に変更してもよい。
【００２８】
・実施例１の位置調整部９０は、取付フレーム５０に設けられた長孔９３の本数と、巻取部４０に設けられた調整穴９１の数は任意であり、実施例１に限定されることはない。それに伴ない、摺動部材９４は、本数を限定しないが、長孔９３内を摺動して巻取部４０を移動し、巻取部４０が壁面２との隙間を埋めることができるように本数を選定する。
【符号の説明】
【００２９】
１  オーニング装置
３  窓枠
４０  巻取部
５０  取付フレーム
６０  アーム
８０  キャンバス
９０  位置調整部
【図１】
2012072581.tif 000003
【図２】
2012072581.tif 000004
【図３】
2012072581.tif 000005
【図４】
2012072581.tif 000006
【図５】
2012072581.tif 000007
【図６】
2012072581.tif 000008
【図７】
2012072581.tif 000009
【図８】
2012072581.tif 000010
【図９】
2012072581.tif 000011